(57)【要約】【課題】水平林地でばかりでなく傾斜林地を登り下りして大径木の伐倒・搬出を可能にした自走式木材伐倒搬出機を提供する。【解決手段】自走式木材伐倒搬出機は、走行車体構造物（２）の内部空間（８）に、立木を横から抱き抱えて保持するための一対のグラップル（２８）を有するグラップル装置（９）及び立木を伐倒するため、立木を横から切断するための二枚刃又は一枚刃（５０）若しくはチエーンソー（５０’）を有する切断装置（１０）を備えた回転フレーム（１１）と、該回転フレーム（１１を、グラップル装置及び切断装置の垂直位置と水平位置との間で回転させるための装置とを設け、グラップル装置のグラップルが、回転フレームの逆回転により立木を伐倒させ、伐倒後、木材伐倒搬出機の走行によりグラップル装置のグラップルが伐倒した木材を引きずりながら搬出する。【選択図】図２
2020074717.tif 000002
【特許請求の範囲】
【請求項１】
タイヤ式又は覆帯式走行車体構造物の内部空間に、立木を横から抱き抱えて保持するための一対のグラップルを有するグラップル装置及び立木を伐倒するため、立木を横から切断するための一対のカッターを有する切断装置を備えた回転フレームと、該回転フレームを、グラップル装置及び切断装置の垂直位置と水平位置との間で回転させるための装置とを設け、グラップル装置のグラップルが、回転フレームの逆回転により立木を伐倒させ、伐倒後、木材伐倒搬出機の走行によりグラップル装置のグラップルが伐倒した木材を搬出するようにした自走式木材伐倒搬出機。
【請求項２】
走行車体構造物は、前車体部分と、内部空間を画成する一対の二股状の後車体部分とを含み、回転フレームは、内部空間内にあって、後車体部分に固定された枢軸に回転自在に取り付けられ、回転フレームを回転させるための装置は、回転フレームにリンク機構を介して連結された油圧シリンダーを含む、請求項１に記載の自走式木材伐倒搬出機。
【請求項３】
回転フレームは、前記切断装置を設置するカッターボックスと、ガイド装置とを含み、ガイド装置は、一対のガイドレールと、スライドブラケットと、該スライドブラケットをガイドレールに沿って前後方向に摺動させるための油圧シリンダー、とを含み、前記グラップル装置は、前記スライドブラケットから懸垂され、前記スライドブラケットの摺動により、グラップル装置を前方位置と後方位置との間で移動させる、請求項１に記載の自走式木材伐倒搬出機。
【請求項４】
前記切断装置は、カッターボックスの中に配置され、カッターボックスの前後支持板に固定された一対の枢軸に回転自在に取付けられた二枚刃と、該二枚刃を前記枢軸の回りに互いに反対方向に回転させるための油圧シリンダーと、を含む、請求項１に記載の自走式木材伐倒搬出機。
【請求項５】
切断装置は、カッターボックスの中に配置され、カッターボックスの前後支持板に固定された枢軸に回転自在に取付けられた取付けアームに固定して取付けられた一枚刃と、該一枚刃を前記枢軸のまわりに外から内に回転させるための油圧シリンダーと、を含む、請求項１に記載の自走式木材伐倒搬出機。
【請求項６】
切断装置は、カッターボックスの中に配置され、カッターボックスの前後支持板に固定された枢軸に回転自在に取付けられた取付けアームに固定して取り付けられたチエーンソーと、該チエーンソーを前記枢軸のまわりに内から外に回転させるための油圧シリンダーと、を含む、請求項１に記載の自走式木材伐倒搬出機。
【発明の詳細な説明】
【技術分野】
【０００１】
本発明は、立木としての木材を一対のグラップルで横から抱き抱えて保持しながら、カッターで木材を切断し、グラップルを木材の伐倒に追従させ、グラップルを介して伐倒した木材を搬出するようにした自走式木材伐倒搬出機に関する。
【背景技術】
【０００２】
木材を伐倒する場合は、ほぼ人手によるチェーソー伐倒が一般的であるため、労務災害による人身事故の発生が起こり易い。人身事故防止のために機械化が望まれるが、大型機械は、林地では身動きが取れず、また勾配角度が４５°以上になると、土壌や地盤が悪くなって大型機械の搬入さえできないのが原状である。
【発明の開示】
【発明が解決しようとする課題】
【０００３】
人身事故の防止の観点から人が伐倒すべき立木に近寄る必要なしに無線操作で自走させ、水平林地でばかりでなく傾斜林地を登り下りして大径木の伐倒・搬出を可能にした自走式木材伐倒搬出機の出現が強く望まれていた。
本発明の目的は、その様な要望に応える自走式木材伐倒搬出機を提供することにある。
【課題を解決するための手段】
【０００４】
本発明の上記の目的は、タイヤ式又は覆帯式走行車体構造物の内部空間に、立木を横から抱き抱えて保持するための一対のグラップルを有するグラップル装置及び立木を伐倒するため、立木を切断するための切断装置を備えた回転フレームと、該回転フレームを、グラップル装置及び切断装置の垂直位置と水平位置との間で回転させるための装置とを設け、グラップル装置のグラップルが、回転フレームの逆回転により立木を伐倒させ、伐倒後、木材伐倒搬出機の走行によりグラップル装置のグラップルが伐倒した木材を引きずりながら搬出するようにした自走式木材伐倒搬出機を提供することによって達成される。
【０００５】
本発明の好ましい実施形態によれば、走行グラップル装置車体構造物は、前車体部分と、内部空間を画成する一対の二股状の後車体部分とを含み、回転フレームは、内部空間内にあって、後車体部分に固定された枢軸に回転自在に取り付けられ、回転フレームを回転させるための装置は、回転フレームにリンク機構を介して連結された油圧シリンダーを含む、自走式木材伐倒搬出機を提供する。
【０００６】
本発明の更なる好ましい実施形態によれば、回転フレームは、前記切断装置を設置するカッターボックスと、ガイド装置とを含み、ガイド装置は、一対のガイドレールと、スライドブラケットと、該スライドブラケットをガイドレールに沿って前後方向に摺動させるための油圧シリンダー、とを含み、前記グラップル装置は、前記スライドブラケットから懸垂され、前記スライドブラケットの摺動により、グラップル装置を前方位置と後方位置との間で移動させる、自走式木材伐倒搬出機を提供する。
【０００７】
本発明の更なる好ましい実施形態によれば、前記切断装置は、カッターボックスの中に配置され、カッターボックスの前後支持板に固定された一対の枢軸に回転自在に取付けられた取付けアームに固定して取付けられた二枚刃と、該二枚刃を前記枢軸の回りに互いに反対方向に回転させるための一対の油圧シリンダーと、を含む、自走式木材伐倒搬出機を提供する。
【０００８】
本発明の変形形態によれば、切断装置は、カッターボックスの中に配置され、カッターボックスの前後支持板に固定された枢軸に回転自在に取付けられた取付けアームに固定して取付けられた一枚刃と、該一枚刃を前記枢軸の回りに回転させるための油圧シリンダーと、を含む、自走式木材伐倒搬出機を提供する。
【０００９】
本発明の更なる変形形態によれば、切断装置は、カッターボックスの中に配置され、カッターボックスの前後支持板に固定された枢軸に回転自在に取付けられた取付けアームに固定して取り付けられたチエーンソーと、該チエーンソーを前記枢軸のまわりに回転させるための油圧シリンダーと、を含む、自走式木材伐倒搬出機を提供する。
【００１０】
（作用）
本発明の自走式木材伐倒搬出機は、ラジコン操作により遠隔的に作動されるようになっており、グラップル装置は、後方位置において、回転フレームの回転により切断装置とともに垂直位置から水平位置に向き変えされ、グラップル装置の一対のグラップルが立木を抱き抱えて保持し、切断装置で立木を切断する。グラップル装置を前方位置に向かわせると共に回転フレームの逆回転により立木を伐倒させる。伐倒後、木材伐倒搬出機の走行によりグラップル装置のグラップルで伐倒された木を引きずりながら搬出する。
【図面の簡単な説明】
【００１１】
【図１】本発明による自走木材伐倒搬出車の背面図である。
【図２】本発明による自走木材伐倒搬出車の側面図であって、回転フレームを水平位置で示す図である。
【図３】回転フレームを垂直位置で示す、図２と同様の図である。
【図４】本発明による自走木材伐倒搬出車の平面図である。
【図５】回転フレームの側面図である。
【図６】回転フレームの底面図である。
【図７】本発明による自走木材伐倒搬出車のグラップル装置の側面図である。
【図８】図７に示すグラップル装置の正面図である。
【図９】グラップル装置の詳細図である。
【図１０】本発明による自走木材伐倒搬出車の二枚刃の切断装置の背面面図である。
【図１１】切断装置の内部を示す正面図である。
【図１２】切断装置の底面図である。
【図１３】一枚刃の切断装置を示す図である。
【図１４】チエーンソーの切断装置を示す図である。
【図１５】本発明の木材伐倒搬出機による、登り傾斜地での伐倒作業を示す図である。
【図１６】本発明の木材伐倒搬出機による、下り傾斜地での伐倒作業を示す図である。
【発明を実施するための形態】
【００１２】
図１乃至３を参照すると、本発明による自走木材伐倒搬出機１は、車体構造物２を含み、該車体構造物２は、前車体部分３と、該前車体部分３から後方に延びる一対の後車体部分４，４とを有する。前輪５は、前車体部分から枢支されたステアリングフレーム６に装着され、また後輪７は、一対の後車体部分４，４にそれぞれ装着され、これら前輪及び後輪は、詳細には図示されていいが、それぞれ油圧モータを内蔵していて油圧モータにより回転駆動されるようになっている。また前輪５は、これと関連した一般的に周知の舵取り機構により油圧的に舵取りされるようになっている。前輪及び後輪は図示した例では、タイヤ式のものであるが、クローラ式のものであってもよい。前車体部分３には、エンジン部及びエンジンで駆動される油圧ポンプ，バッテリー並びに制御バルブ群等が搭載される。
【００１３】
図４乃至６で明らかなように、一対の後車体部分４，４間には、空間８が画成され、その空間に、後述するようにグラップル装置９及び切断装置１０が装着される回転フレーム１１が配置されている。回転フレーム１１は、切断装置１０が配置されるカッターボックス１２を構成する前後支持板１３，１４とそれらに連結された一対のサイドアーム１５として機能する側板１６と、前後支持板の中央上縁に固定された上支持板１７及び前支持板１３から前方に延びる二股状の底支持板１８，１８と、を含む。
【００１４】
回転フレーム１１は、一端が車体構造物２に１９’で枢着された油圧シリンダー１９のプランジャーロッドの伸縮によりリンク機構２０を介して後車体部分４，４にそれぞれに設けられた枢軸２１のまわりに回動するようになっている。リンク機構２０は、前記油圧シリンダー１９のプランジャーロッドに枢着されたリンク２２と、前記枢軸２１に回動自在に取り付けられ，一端が前記リンク２２に２２’で枢着され、他端が回転フレーム１１のサイドアーム１５の下端に１５’で固定的に連結されたベルクランク２３と、一端が前記リンク２２の中間部に２２’で枢着され、他端が後車体部分に設けられた枢軸２４に回転自在に取り付けられた支持リンク２５とを含む。かくして、枢軸２１のまわりの回転フレーム１１の回転により、グラップル装置９及び切断装置１０は、垂直位置から水平位置にまたその反対に水平位置から垂直位置に向き変えされる。
【００１５】
グラップル装置９は、図７乃至９に詳細に示すように、グラブルブラケット２６と、ベルクランクの形をなし、グラブルブラケット２６の左右一対の枢軸２７，２７にそれぞれ回転可能に取り付けられた一対のグラップル２８，２８と、前記枢軸に取り付けられ、各グラップルの上端に２８’，２８’で枢着されたプランジャーロッドを有する油圧シタンダー２９，２９と、を含む。かくして、２つの油圧シリンダー２９，２９の作動によるプランジャーロッドの伸縮で一対のグラップル２８，２８を閉じたり開いたりして後述するように木を抱き抱えたり開放したりすることができる。グラップルの開閉を同調させるために、よく知られたタイミングロッド３０が、一方のグラップルの枢軸２７より下方で、また他方のグラップルの枢軸２７より上方でグラップル２８，２８に枢着連結されている。
【００１６】
車体構造物は、グラップル装置９のためのガイド装置３１を備え、該ガイド装置は、上支持板１７及び底支持板１８，１８と一体をなし、間に空間３２を画成する一対の向かい合ったガイドレール３３，３３と、スライドブラケット３４と、を含み、スライドブラケット３４は、ガイドレール３３，３３に係合するガイドローラ３５，３５を備え、ガイドレール３３，３３に沿って前後にスライドできるようになっている。グラップル装置９は、スライドブラケット３４から懸垂支持されている。ガイドレール３３，３３間の空間３２には、一端がガイドレール間でガイドレールに３７’で枢着された油圧シリンダー３７が配置され、そのプランジャーロッドは、スライドブラケット３４の前方端に設けられた横ピン３８に取り付けられている。かくして、油圧シリンダー３７の作動によるプランジャーロッドの伸縮で、スライドブラケット３４は、ガイドレールに沿って前後方向にスライドし、それにより、グラップル装置９を前方位置と後方位置との間で移動させる。
【００１７】
グラップル装置のスイングブラケット３９が回転ベアリング４０を介してスライドブラケット３４に回転可能に取り付けられている。グラップルブラケット２６は、横ピン４１を介して、スイングブラケット３９に取り付けられ、そのため、グラップル装置のグラップルは、例えば、前に１５°，後に１５°振れることができる。グラップル装置９のグラップル２８，２８のこの前後の振れは、グラップル装置９の前方位置に向かう際には、可能にされるが、後方位置では、不可能にされることが望ましい。この目的のために、グラップルブラケット２６の上面に設けられた左右一対の接触要素４２，４２と、前記カッターボックス１２の前支持板１３から前方に延び、かつ接触要素との接触面４３，４３をそれぞれ有する一対の板状要素４４，４４とを含む振れ止めが設けられている。かくして振れ止めは、グラップル装置９が前方位置にあるときには接触要素４２、４２が板状要素４４，４４の接触面４３，４３との接触から外れるため働かず、グラップル装置９は、横ピン４１を中心に前後に自由に振れることができるが、グラップル装置９が後方に移動されるときには、接触要素４２，４２が板状要素４４，４４の接触面４３，４３に接触するため働き、グラップル装置の振れは止められる。グラップル装置が、垂直位置から水平位置にまたその反対に水平位置から垂直位置に向き変えされるとき、グラップル装置は、振れ止めされた状態にあるから、グラップル装置が前後方向に振れることはない。
【００１８】
また、グラップル装置９は、前方位置では、スイングブラケット３９の旋回により左右に振れることができるようになっている。しかし、グラップル装置は、これが前方位置から後方位置に移動されるとき振れ止めされることが望ましい。この振れ止めは、スイングブラケット３９の前方突出部３９’に植設されたスタンドピン４５の先端に設けられたローラ４６が、ガイドレール３３，３３の間に前方から入り込めるように位置し、グラップル装置９が前方位置から後方位置に移動されるとき、ガイドレール３３，３３の下部の向かい合わせ面３３’，３３’に接触することによって達成される。前方位置においては、ローラ４６がガイドレール間から抜け出し、スイングブラケット３９が  自由に旋回できるので、グラップルの左右の振れは、可能になる。しかし、前記スタンドピン４５が、前記二股状の底支持板１８，１８の左右張出部１８’，１８’の下面に下向きに突設された一対のストッパー４７，４７に当たることによって、例えば、左に４５°，右に４５°に制限される。
【００１９】
カッターボックス１２の中には、切断装置１０が配置される。切断装置１０は、図１０乃至１２で明らかなように、カッターボックス１２の前後支持板１３，１４に固定して取り付けられた一対の枢軸４８，４８に回転可能に設けられた取付けアーム４９，４９に固定して取付けられた二枚刃５０，５０（図１１では、そのうちの１つは、刃の取付けをはっきりさせるために省略されて破線で示す）と、前後支持板１３，１４に固定して取り付けられた一対の枢軸５１，５１に取り付けられ、取付けアーム４９，４９に４９’，４９’で枢着されたプランジャーロッドを有する油圧シリンダー５２，５２とを含む。かくして、二枚刃５０，５０は、油圧シリンダー５２，５２のプランジャーロッドの伸縮により枢軸４８，４８のまわりに回転して木の切断操作のため開閉される。
【００２０】
図１３は、一枚刃５０を含む切断装置１０を示し、一枚刃５０は、カッターボックスス１２の前後支持板１３，１４に固定して取り付けられた枢軸４８に回転可能に設けられた取付けアーム４９に固定して取付けられている。油圧シリンダー５２が、前後支持板１３，１４に固定して取り付けられた枢軸５１に取り付けられ、かつ取付けアーム４９に４９’で枢着されたプランジャーロッドを有する。かくして、一枚刃５０は、油圧シリンダー５２のプランジャーロッドの伸長により、木の切断操作のため枢軸４８のまわりに回転する。
【００２１】
図１４は、チエーンソー５０’を含む切断装置１０を示す。チエーンソー５０’は、カッターボックスス１２の前後支持板１３，１４に固定して取り付けられた枢軸４８に回転可能に設けられた取付けアーム４９に固定して取付けられている。油圧シリンダー５２が、前後支持板１３，１４に固定して取り付けられた枢軸５１に取り付けられ、かつ取付けアーム４９に４９’で枢着されたプランジャーロッドを有する。かくして、チエーンソー５０’は、油圧シリンダー５２のプランジャーロッドの収縮により、木の切断操作のため枢軸４８のまわりに回転する。
【００２２】
なお、参照番号５３は、油圧駆動式ウインチを指し、５４は、ウインチから繰り出されるワイヤーのためのスイングガイドシーブを指している。このウインチは、立木に縛り付けたワイヤーを巻き取ることにより、車両が急勾配な林地を昇り降りできるようにするために設置される。
【００２３】
操作において、本発明による自走式木材伐倒搬出車の全ての油圧シリンダー及び油圧モータは、ラジコン操作により受信器及び制御弁群を介して遠隔的に作動されるようになっている。なお、木材伐倒搬出車の走行状態及び立木の伐倒作業は、木材伐倒搬出車に適宜設置されるカメラからの映像をモニターすることによって把握されるようになっている。
【００２４】
立木の伐倒及び木材の搬出作業について、限られる訳ではないがその手順を以下に説明する。通常は、回転フレーム１１は、グラップル装置９及び切断装置１０が車体構造物に対して垂直位置にあるように位置決めされ、グラップル装置９は、車体構造物２の前方位置にあるものとする。この状態では、グラップル２８，２８は閉じ、二枚刃５０，５０又は一枚刃５０は開いており、又チエーンソー５０’はカッターボックス内に引っ込められている。伐倒作業は、水平な林地でばかりでなく傾斜林地でほぼ垂直に育っている立木に対して行なわれるのが一般的である。
【００２５】
油圧シリンダー３７の作動によりスライドブラケット３４をガイドレール３３，３３に沿って移動させることによってグラップル装置９を、前方位置から後方位置まで後方にスライドさせる。次いで、油圧シリンダー１９，１９の作動によりリンク機構２０，２０を介して回転フレーム１１を枢軸２１，２１のまわりに回転させ、ガイド装置３１を車体構造物に対して水平位置から垂直位置に向き変えする。この方法で、グラップル装置９のグラップル２８，２８及び切断装置１０の二枚刃５０，５０又は一枚刃５０若しくはチエーンソー５０’は、垂直位置から水平位置に向き変えされる。この状態において、グラップル２８，２８を油圧シリンダー２９，２９の作動によりプランジャーロッドを収縮させて枢軸２７，２７のまわりに外向きに回転させて開く。次いで、木材伐倒搬出車１を伐倒すべき立木に向かって走行させ、グラップル２８，２８を油圧シリンダー２９，２９の作動によりプランジャーロッドを伸張させて枢軸２７，２７のまわりに内向きに回転させて閉じ、立木を抱き抱えてこれを保持する。次いで油圧シリンダー５２，５２の作動によりプランジャーロッドを伸張させて二枚刃５０，５０を枢軸５１，５１のまわりに互いに反対方向に回転させることにより、一枚刃５０の場合には、一枚刃５０を枢軸５１のまわりに外から内へ回転させることにより、チエーンソー５０’の場合には、作動させた状態において、油圧シリンダー５２のプランジャーロッドの収縮によりチエーンソー５０’を枢軸５１のまわりに内から外に回転させることにより、立木を切断する。切断後、油圧シリンダー３７及び油圧シリンダー１９，１９を順次作動してそれらのプランジャーロッドを伸張させ、それによりスライドブラケット３４、したがってグラップルをガイドレール３３，３３に沿って移動させ、また回転フレーム１１を枢軸２１のまわりに逆転させることによって立木を伐倒させる。カッターは、切断後もとの位置に戻されることは明らかである。グラップルがガイドレール３３，３３に沿って移動し始める段階で、グラップルは、切断された立木を切り株から持ち上げるように作用し、そのため、立木の伐倒が容易に行なわれることは理解されよう。伐倒し終わったときには、グラップルは、下向きで前方位置にあり、かくして、木材伐倒搬出機を、後方に即ち立木のあった場所から離れる方向に走行させることにより、伐倒した木を地形に沿って引きずりながら搬出する。グラップル装置は、その前方位置では、前後左右に振れるように構成されているから、引きずられる木材は、林地の地形に巧く順応し、また車両が左右に曲がろうとするとき、車両に余分な負荷を及ぼすことがない。
【００２６】
傾斜林地では、図１５及び１６に示すように、回転フレームを、グラップル装置９のグラップル２８，２８及び切断装置１０の二枚刃５０，５０又は一枚刃５０若しくはチエーンソー５０’が立木に対してほぼ直角に向かう程度に回転させことになる。
【００２７】
本発明による木材伐倒搬出機は、グラップルにより、横倒しになっている木材を掴んでそれを搬出するのにも利用することができる。
【符号の説明】
【００２８】
１      木材伐倒搬出機
２      走行車体構造物
３      前車体部分
４      後車体部分
５      前輪
７      後輪
８      空間
９      グラップル装置
１０    切断装置
１１    回転フレーム
１２    カッターボックス
１３    前支持板
１４    後支持板
１５    サイドアーム
１８    二股状底支持板
１９    油圧シリンダー
２０    リンク機構
２１    枢軸
２６    グラップルブラケット
２８    グラップル
２９    油圧シリンダー
３１    ガイド装置
３２    空間
３３    ガイドレール
３４    スライドブラケット
３７    油圧シリンダー
４８    枢軸
５０    二枚刃，一枚刃
５０’  チエーンソー
５２    油圧シリンダー
【図１】
2020074717.tif 000003
【図２】
2020074717.tif 000004
【図３】
2020074717.tif 000005
【図４】
2020074717.tif 000006
【図５】
2020074717.tif 000007
【図６】
2020074717.tif 000008
【図７】
2020074717.tif 000009
【図８】
2020074717.tif 000010
【図９】
2020074717.tif 000011
【図１０】
2020074717.tif 000012
【図１１】
2020074717.tif 000013
【図１２】
2020074717.tif 000014
【図１３】
2020074717.tif 000015
【図１４】
2020074717.tif 000016
【図１５】
2020074717.tif 000017
【図１６】
2020074717.tif 000018